(57)【要約】【課題】省エネルギモード時と通常モード時における電源供給を切り換えることができ、この切り換えられたモードに応じて、二次電池を併用することによって電力供給を有効利用させることを目的とする。【解決手段】商用電源からの電力を各部に供給する主電源と、主電源からの電力を充電し、充電した電力を各部に供給する二次電池と、を備えた画像形成装置において、画像形成装置は、画像形成が可能な通常モードと、この通常モードよりも消費電力が抑えられた省エネルギモードとを切り換える。そして、省エネルギモードに切り換えられた場合に、主電源からの電力の供給を停止し、二次電池からの電力の供給を行う。【選択図】図３
2009222824.tif 000002
【特許請求の範囲】
【請求項１】
商用電源からの電力を各部に供給する主電源と、前記主電源からの電力を充電し、この充電した電力を各部に供給する二次電池と、を備えた画像形成装置において、
画像形成が可能な通常モードと、この通常モードよりも消費電力が抑えられた省エネルギモードとを切り換える切換手段と、
前記切換手段で省エネルギモードに切り換えられた場合に、前記二次電池からの電力の供給を行い、前記主電源からの電力の供給を停止する電源制御手段と、
を備えたことを特徴とする画像形成装置。
【請求項２】
前記二次電池の放電電圧が所定の電圧を下回ったか否かを検出する電圧低下検出手段をさらに備え、
前記二次電池は、前記電圧低下検出手段により二次電池の放電電圧が所定の電圧を下回った場合に、前記主電源から充電されることを特徴とする請求項１記載の画像形成装置。
【請求項３】
前記充電された二次電池の満充電を検出する満充電検出手段をさらに備え、
前記二次電池は、前記満充電検出手段で満充電を検出した場合に、前記主電源からの電力の充電を停止されることを特徴とする請求項１、または請求項２記載の画像形成装置。
【請求項４】
商用電源からの電力を各部に供給する主電源と、前記主電源からの電力を充電し、この充電した電力を各部に供給する二次電池と、を備えた画像形成装置において、
画像形成が可能な通常モードと、この通常モードよりも消費電力が抑えられた省エネルギモードとを切り換える切換手段と、
前記切換手段で省エネルギモードに切り換えられた場合に、前記二次電池による電力の供給、または前記主電源と前記二次電池との両方による電力の供給を選択する選択手段を備え、
前記選択手段で前記二次電池による電力の供給を選択した場合に、前記二次電池からの電力の供給を行い、前記主電源からの電力の供給を停止する電源制御手段と、
を備えたことを特徴とする画像形成装置。
【請求項５】
前記二次電池の放電電圧が所定の電圧を下回ったか否かを検出する電圧低下検出手段をさらに備え、
前記選択手段は、前記電圧低下検出手段で前記二次電池の放電電圧が所定の電圧を下回った場合に、前記主電源と前記二次電池との両方による電力の供給を選択することを特徴とする請求項４記載の画像形成装置。
【請求項６】
商用電源からの電力を各部に供給する主電源と、前記主電源からの電力を充電し、この充電した電力を各部に供給する二次電池と、を備えた画像形成装置において、
画像形成が可能な通常モードと、この通常モードよりも消費電力が抑えられた省エネルギモードとを切り換える切換手段と、
前記切換手段で省エネルギモードに切り換えられた場合に、前記二次電池の容量を検知する容量検知手段と、
前記容量検知手段で検知された容量に応じて、前記二次電池の状態を提示する提示手段と、
を備えたことを特徴とする画像形成装置。
【請求項７】
前記容量検知手段で検知される容量は、満容量、中容量、低容量、または低容量を下回る容量であることを特徴とする請求項６記載の画像形成装置。
【請求項８】
前記提示手段は、前記容量検知手段で検知された容量が、満容量、中容量、または低容量のいずれかである場合に、この容量に応じた表示色、または輝度を用いて前記二次電池の容量を提示することを特徴とする請求項７記載の画像形成装置。
【請求項９】
前記提示手段は、前記容量検知手段で検知された容量が、低容量を下回る容量である場合に、前記二次電池の充電、または前記二次電池の交換を促す表示を行うことを特徴とする請求項７記載の画像形成装置。
【請求項１０】
商用電源からの電力を各部に供給する主電源と、前記主電源からの電力を充電し、この充電した電力を各部に供給する二次電池と、を備えた画像形成装置において、
画像形成が可能な通常モードと、この通常モードよりも消費電力が抑えられた省エネルギモードとを切り換える切換手段と、
前記二次電池の容量を検知する容量検知手段と、
前記切換手段で省エネルギモードに切り換えられた場合に、前記容量検知手段で検知した容量に応じて、前記二次電池からの電力の供給を行い、前記主電源からの電力を停止する電源制御手段と、
を備えたことを特徴とする画像形成装置。
【請求項１１】
前記電源制御手段は、前記容量検知手段で検知した容量が所定の容量を下回った場合に、前記二次電池からの電力の供給を停止し、
前記二次電池は、前記主電源から充電されることを特徴とする請求項１０記載の画像形成装置。
【発明の詳細な説明】
【技術分野】
【０００１】
本発明は、レーザプリンタ、インクジェットプリンタ、ファクシミリなどの画像形成装置に関し、特に、画像形成が可能な運転状態（通常モード）と、この通常モードよりも消費電力が抑えられた運転状態（省エネルギモード）とが切換可能である画像形成装置に関する。
【背景技術】
【０００２】
画像形成装置には、画像形成可能な運転状態（通常モード）と、この通常モードよりも消費電力が抑えられた運転状態（省エネルギモード）とが、切換可能となっているものがある。
このように運転状態の切換可能な画像形成装置の中には、商用電源から各モジュールに電力を供給する主電源と、予め蓄えられた電力を主電源のオフ時に特定のモジュールに供給する二次電池とを備えたものがある。
例えば、下記特許文献１では、商用電源に停電などの異常が発生すると、蓄電池に充電された電力を複合機に電源供給する技術が開示されている。
下記特許文献２では、待機時の消費電力をさらに低減させるため、省エネ待機時に、太陽電池、二次電池、およびＯＮ／ＯＦＦ省電源を備える技術が開示されている。
下記特許文献３では、容量の多い電池に交換された際に、省電力機能を低下させる技術が開示されている。
【特許文献１】特開２００１−２５３１５２
【特許文献２】特開２００２−６３０１１
【特許文献３】特開２００１−２５５９６６
【発明の開示】
【発明が解決しようとする課題】
【０００３】
しかしながら、従来の画像形成装置における二次電池は、主電源が停電などによって使用不能になった場合に、一時的に電力が供給される程度であった。
そのため、運転状態に応じて二次電池からの電力を供給することには用いられておらず、省エネルギ効果を高めることはできなかった。
また、従来の画像形成装置における二次電池は、電池残量をユーザに提示することや、画像形成装置の運転状態や二次電池の電池残量に応じて、電源を使い分けることもできなかった。
【０００４】
そこで、本発明は、省エネルギモード時と通常モード時とを切り換えることができ、この切り換えられたモード（運転状態）に応じて二次電池を用いることによって、例えば、化石燃料による発電比率の低い夜間電力や、夏季に高まる電力需要の平準化など、電源供給を有効利用することを第１の目的とする。
また、二次電池の電池残量に伴い、残量の不足を適切にユーザに提示し、電源供給を有効利用することを第２の目的とする。
また、二次電池の容量検知を行い、運転状態や、容量に応じて電源を使い分けることによって、電源供給を有効利用することを第３の目的とする。
【課題を解決するための手段】
【０００５】
請求項１記載の発明では、商用電源からの電力を各部に供給する主電源と、前記主電源からの電力を充電し、この充電した電力を各部に供給する二次電池と、を備えた画像形成装置において、画像形成が可能な通常モードと、この通常モードよりも消費電力が抑えられた省エネルギモードとを切り換える切換手段と、前記切換手段で省エネルギモードに切り換えられた場合に、前記二次電池からの電力の供給を行い、前記主電源からの電力の供給を停止する電源制御手段と、を備えたことにより、前記第１の目的を達成する。
請求項２記載の発明では、請求項１記載の発明において、前記二次電池の放電電圧が所定の電圧を下回ったか否かを検出する電圧低下検出手段をさらに備え、前記二次電池は、前記電圧低下検出手段により二次電池の放電電圧が所定の電圧を下回った場合に、前記主電源から充電されることにより、前記第１の目的を達成する。
請求項３記載の発明では、請求項１、または請求項２記載の発明において、前記充電された二次電池の満充電を検出する満充電検出手段をさらに備え、前記二次電池は、前記満充電検出手段で満充電を検出した場合に、前記主電源からの電力の充電を停止されることにより、前記第１の目的を達成する。
請求項４記載の発明では、商用電源からの電力を各部に供給する主電源と、前記主電源からの電力を充電し、この充電した電力を各部に供給する二次電池と、を備えた画像形成装置において、画像形成が可能な通常モードと、この通常モードよりも消費電力が抑えられた省エネルギモードとを切り換える切換手段と、前記切換手段で省エネルギモードに切り換えられた場合に、前記二次電池による電力の供給、または前記主電源と前記二次電池との両方による電力の供給を選択する選択手段を備え、前記選択手段で前記二次電池による電力の供給を選択した場合に、前記二次電池からの電力の供給を行い、前記主電源からの電力の供給を停止する電源制御手段と、を備えたことにより、前記第１の目的を達成する。
請求項５記載の発明では、請求項４記載の発明において、前記二次電池の放電電圧が所定の電圧を下回ったか否かを検出する電圧低下検出手段をさらに備え、前記選択手段は、前記電圧低下検出手段で前記二次電池の放電電圧が所定の電圧を下回った場合に、前記主電源と前記二次電池との両方による電力の供給を選択することにより、前記第１の目的を達成する。
請求項６記載の発明では、商用電源からの電力を各部に供給する主電源と、前記主電源からの電力を充電し、この充電した電力を各部に供給する二次電池と、を備えた画像形成装置において、画像形成が可能な通常モードと、この通常モードよりも消費電力が抑えられた省エネルギモードとを切り換える切換手段と、前記切換手段で省エネルギモードに切り換えられた場合に、前記二次電池の容量を検知する容量検知手段と、前記容量検知手段で検知された容量に応じて、前記二次電池の状態を提示する提示手段と、を備えたことにより、前記第２の目的を達成する。
請求項７記載の発明では、請求項６記載の発明において、前記容量検知手段で検知される容量は、満容量、中容量、低容量、または低容量を下回る容量であることにより、前記第２の目的を達成する。
請求項８記載の発明では、請求項７記載の発明において、前記提示手段は、前記容量検知手段で検知された容量が、満容量、中容量、または低容量のいずれかである場合に、この容量に応じた表示色、または輝度を用いて前記二次電池の容量を提示することにより、前記第２の目的を達成する。
請求項９記載の発明では、請求項７記載の発明において、前記提示手段は、前記容量検知手段で検知された容量が、低容量を下回る容量である場合に、前記二次電池の充電、または前記二次電池の交換を促す表示を行うことにより、前記第２の目的を達成する。
請求項１０記載の発明では、商用電源からの電力を各部に供給する主電源と、前記主電源からの電力を充電し、この充電した電力を各部に供給する二次電池と、を備えた画像形成装置において、画像形成が可能な通常モードと、この通常モードよりも消費電力が抑えられた省エネルギモードとを切り換える切換手段と、前記二次電池の容量を検知する容量検知手段と、前記切換手段で省エネルギモードに切り換えられた場合に、前記容量検知手段で検知した容量に応じて、前記二次電池からの電力の供給を行い、前記主電源からの電力を停止する電源制御手段と、を備えたことにより、前記第３の目的を達成する。
請求項１１記載の発明では、請求項１０記載の発明において、前記電源制御手段は、前記容量検知手段で検知した容量が所定の容量を下回った場合に、前記二次電池からの電力の供給を停止し、前記二次電池は、前記主電源から充電されることにより、前記第３の目的を達成する。
【発明の効果】
【０００６】
本発明では、省エネルギモード時と通常モード時とを切り換え、省エネルギモードでは、主電源の供給を停止し、二次電池を用いるので、電源供給を有効利用させることができる。
また、二次電池の容量検知を行い、この二次電池の状態をユーザに提示したりするので、二次電池の補充や、二次電池の交換などを適切なタイミングで行わせることができる。
また、二次電池の容量検知を行い、運転状態や、容量に応じて電源を使い分けるので、電源供給をより有効利用させることができる。
【発明を実施するための最良の形態】
【０００７】
以下、本発明の実施形態について、図面に基づき詳細に説明する。
図１は、第１の実施形態における構成を示したブロック図である。
図１（ａ）に示すように、プリンタシステム１００は、ホストＰＣ（パーソナルコンピュータ）２００、ネットワーク３００、および画像形成装置４００から構成されている。
ホストＰＣ２００と、画像形成装置４００とは、ネットワーク３００を介して接続されており、インターネットや、ＬＡＮ（ローカル・エリア・ネットワーク）、ＷＡＮ（ワイド・エリア・ネットワーク）など、種々の公知のネットワークによって構成することができる。
【０００８】
図１（ａ）に示す画像形成装置４００は、ＰＴＲ（プリンタ機構）、ＡＤＦ（自動原稿送り装置）、ＳＣＲ（画像スキャナ）、ＯＰＢ（表示部、および操作部）が組み付けられており、ホストＰＣ２００からの印刷データに基づき、画像出力を行う。
画像形成装置４００は、複合機能があるデジタルカラー複写機であり、自身で原稿のコピーを生成することもできる。
この画像形成装置には、脱着可能な補助電池装置５０と、この補助電池装置５０に対して脱着可能な二次電池５２とが取り付けられている。
【０００９】
図１（ｂ）は、画像形成装置４００におけるＰＴＲの構成をさらに示したブロック図である。
画像形成装置４００は、電子写真方式のレーザ走査型のカラープリンタであり、ＰＴＲ、両面トレイ、バンク第１給紙、バンク第２給紙、手差し給紙、およびソータ（後処理装置）１１から構成されている。
そして、ＰＴＲは、感光体１、メインチャージャ２、レーザ走査器３、現像装置４、転写チャージャ５、転写ベルト６、レジストローラ７、転写分離チャージャ８、搬送ベルト９、定着器１０、クリーニング装置１２、クリーニングブレード１３、Ｐセンサ１４、光センサ１５、温度センサ１６から構成されている。
図１（ｂ）に示すように、レーザ走査器３には、Ｂｋ（黒）、Ｙ（イエロー）、Ｍ（マゼンタ）、Ｃ（シアン）の各色の成分に分解された画像データが、各色単位で与えられる。各色単位が１画像形成単位である。単色記録のときには、上記４色のうちの一色の画像データがレーザ走査器３に与えられる。感光体１は定速度で回転駆動され、メインチャージャ２にて荷電され帯電位はクエンチングランプＱＬで適正電位に調整される。
そして帯電面に、レーザ走査器３が画像データで変調したレーザを走査投射する。これにより、画像データに対応する静電潜像が感光体１に形成される。
この静電潜像が、回転位置決め方式の現像装置４の画像形成指定色に対応する色の現像トナーを有する現像器にて現像されてトナー像となる。
ここで、例えば画像形成指定色がＢｋである場合には、現像器にて現像される色は黒色となる。
トナー像は、転写チャージャ５にて転写ベルト６に転写され、そして、転写分離チャージャ８にて、レジストローラ７で送り込まれる転写紙に転写され、トナー像を担持する転写紙は、搬送ベルト９により定着器１０に送り込まれる。
【００１０】
定着器１０は加熱、または加圧により、転写紙上のトナー像を転写紙に固定する。定着を終えた転写紙は、ソータ１１に排出される。
トナー像の転写を終えた感光体面はクリーニング装置１２でクリーニングされており、転写ベルト６の転写を終えた面はクリーニングブレード１３で拭われる。
Ｐセンサ１４は、感光体面上のトナー濃度を検出する反射型の光センサである。反射型の光センサ１５は、転写ベルト６の基準位置を示すマークを検出することができ、温度センサ１６は、定着ローラの温度を検出する温度センサとして機能する。
【００１１】
なお、２色以上のカラー重ね記録（最も代表的なものはフルカラー記録）の場合、感光体１上へのトナー像の形成と転写ベルト６への転写が各色分繰り返され、転写ベルト６上において、所要色分の重ね転写を終えてから、転写紙に転写される。
【００１２】
図２は、第１の実施形態における画像形成装置４００の構成をさらに詳細に示したブロック図である。
コントローラ２０は、ＣＰＵ（Ｃｅｎｔｒａｌ  Ｐｒｏｃｅｓｓｉｎｇ  Ｕｎｉｔ）２１、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）２２、ＲＯＭ（Ｒｅａｄ  Ｏｎｌｙ  Ｍｅｍｏｒｙ）２３、ＲＡＭ（Ｒａｎｄｏｍ  Ａｃｃｅｓｓ  Ｍｅｍｏｒｙ）２４、ＦＯＮＴ  ＲＯＭ２５、タイマー２６、ＲＴＣ（Ｒｅａｌ  Ｔｉｍｅ  Ｃｌｏｃｋ）２７、エンジンＩ／Ｆ（Ｉｎｔｅｒｆａｃｅ）２８、操作部Ｉ／Ｆ２９、カバー検知３０、ネットワークＩ／Ｆ３１、コントローラ電源管理３２、およびＤＣ電源Ｉ／Ｆ３４から構成されている。
ＣＰＵ２１は、メインプロセッサであり、コントローラ２０の各構成要素とバスラインを介して接続し、各構成要素を制御する。
ＡＳＩＣ２２は、システムバスの制御、および画像処理等を行う。ＲＯＭ２３は、ＣＰＵ２１の制御プログラムが格納されている。
ＲＡＭ２４は、ネットワークＩ／Ｆ３１を介して受信したホストＰＣからの受信データを一時的に格納したり、受信データに基づいて形成された画像イメージデータを格納する。
タイマー２６は、ＲＴＣ２７によって計測された時間からイベント間隔を制御する。
エンジンＩ／Ｆ２８は、画像データの入出力を制御する。
操作部Ｉ／Ｆ２９は、ＯＰＢとの入出力を制御する。
カバー検知３０は、画像形成装置４００を覆う筐体の扉の開閉を検知するセンサである。
ネットワークＩ／Ｆ３１には、ＰＴＲ、ＯＰＢ、ＡＤＦ、およびホストＰＣが接続しており、ホストＰＣ２００との通信が可能である。
コントローラ電源管理３２は、コントローラ２０、ＰＴＲ３５、および補助電源５０の電源制御を行う。
ＤＣ電源Ｉ／Ｆ３４は、コントローラ２０におけるコントローラ電源供給／遮断回路４２からの電源供給、または二次電池５２からの電源供給を受け付ける。
【００１３】
コントローラ２０は、外部装置であるホストＰＣ２００からの印刷データ、およびコマンドをネットワークＩ／Ｆ３１を通じて受信し、画像情報である印刷データやプリント指示するコマンドを解析する。解析の結果、プリント指示された場合に、印刷データを出力画像データとして印刷できる状態に展開し、この展開されたデータから画像形成を行う。また、画像形成装置４００内で保持する印刷データ、原稿読取りデータ、出力用の出力画像データ、圧縮した圧縮データなどのデータをコントーラ２０を介してホストＰＣ２００に転送することができる。
【００１４】
ＡＤＦは、ＳＣＲに対して原稿を給排する。ＳＣＲは、ＡＤＦから給紙された原稿の表面にランプ照射し、反射光をミラーやレンズによりＳＣＲ内の受光素子に集光する。受光素子で集光された反射光は、ＳＣＲ内のセンサー・ボード・ユニット（以下単にＳＢＵと呼ぶ）によって電気信号に変換され、読取画像データとしてコントローラ２０に出力される。ＳＣＲからの読取画像データは、ＡＳＩＣ２２に転送され、ＡＳＩＣ２２によって、光学系、デジタル信号への量子化に伴う信号劣化が補正される。そして、ＡＳＩＣ２２は、補正した読取画像データをＲＡＭ２４に書込む。
【００１５】
ＲＡＭ２４に書き込まれた読取画像データは、ＡＳＩＣ２２の処理によって、出力画像データに変換され、エンジンＩ／Ｆ２８を介してＰＴＲ３５に出力される。なお、ＡＳＩＣ２２は、読取画像データをＲＡＭ２４に蓄積して再利用するジョブと、ＲＡＭ２４に蓄積しないで、ＰＴＲ３５に作像出力するジョブとがある。例えば、ＲＡＭ２４に蓄積する例としては、１枚の原稿を複数枚複写する場合、ＳＣＲを１回だけ動作させ、読取り画像データをＲＡＭ２４に蓄積し、蓄積データを複数回読み出す使い方がある。
また、ＲＡＭ２４を使わない例としては、１枚の原稿を１枚だけ複写する場合、読取り画像データをそのままプリンタ出力用に処理するので、ＲＡＭ２４への書込み処理を行う必要はない。
【００１６】
ＡＳＩＣ２２は、ＲＡＭ２４の画像データを使わない場合、受光素子による輝度データを面積階調に変換する画質処理を行う。このとき、面積階調に変換された信号は、ＡＳＩＣ２２によってＰＴＲ３５に出力され、ＰＴＲ３５内の図示しない画像メモリに書込まれる。この書き込まれた信号により、ドットを再現するためのパルス制御が行われ、転写紙上に再生画像が形成される。
ＡＳＩＣ２２は、ＲＡＭ２４の画像データを使う場合、外部ホストＰＣ２００からのプリント用データを展開（文字コード／キャラクタビット変換）し、メモリ有効活用のための画像データの圧縮を行い、データ圧縮後、ＲＡＭ２４へ蓄積する。
このように、ＡＳＩＣ２２は、画像データをＲＡＭ２４から必要に応じて読み出し、この読み出しデータを伸張して元の画像データに戻し、ＰＴＲ３５に出力する。これにより、転写紙上に顕像（トナー像）が形成される。
【００１７】
ＰＴＲ３５は、ＰＳＵ４０、エンジン負荷４３、および操作部４４から構成されており、ＰＳＵ４０は、さらに主電源供給／遮断回路４１、コントローラ電源供給／遮断回路４２から構成されている。
主電源供給／遮断回路４１は、ＡＣ商用電源からＤＣ電源を生成する。コントローラ電源供給／遮断回路４２は、主電源供給／遮断回路４１で生成されたＤＣ電源をエンジン負荷４３、コントローラ２０へ供給する。
主電源供給／遮断回路４１で生成されたＤＣ電源には、コントローラ電源管理３２にてＯＮ／ＯＦＦ制御可能な＋５Ｖ、＋１２Ｖ、および＋２４Ｖが存在し、図示しない元電源スイッチであるメインＳＷがＯＮであれば、通常は常にＯＮ状態とする＋５ＶＥが存在する。
そして、＋５Ｖ、＋１２Ｖ、および＋２４Ｖは、エンジン負荷４３に対して供給され、＋５ＶＥは操作部４４に対して供給されている。
【００１８】
ここで、通常モード（画像形成可能な運転状態）では、＋５Ｖ、＋１２Ｖ、＋２４Ｖ、および＋５ＶＥすべてＯＮ状態となっている。
また、省エネルギモードでは、コントローラ２０より、コントローラ電源管理３２がＰＳ２−ＯＮ信号をＯＦＦとさせ、＋５Ｖ、±１２Ｖ、および＋２４Ｖの電源供給をストップさせ、操作部４４のみに＋５ＶＥの電源供給をしている（すなわち、省エネルギモードは、通常モードよりも消費電力が抑えられた運転状態となっている）。
ここで、画像形成装置４００が、省エネルギモードから通常モードへ移行するのは、カバー検知３０からのＩＮＴＫ信号（カバーの開閉を検知したときの信号）、ネットワークＩ／Ｆ３１からのＩＮＴＮ信号（ネットワーク３００からプリント要求の信号）、操作部Ｉ／Ｆ２９からのＩＮＴＰ信号（ユーザによって操作部が操作されたときの信号）などがある。
そしてコントローラ電源管理３２は、これら各種信号を受け付けると、ＰＳ２−ＯＮ信号をＰＴＲ３５に通知する。そして、主電源供給／遮断回路４１とエンジン負荷４３との間をＯＮ状態とし、画像形成装置４００は、通常モードに移行する。
エンジン負荷４３は、主電源供給／遮断回路４１とのＯＮ状態に伴い、画像形成装置４００の各構成要素に対して主電源を供給することができる。
【００１９】
補助電源５０は、バッテリースイッチ（ＢＡＴ−ＳＷ）５１、二次電池５２、充電器５３、二次電池制御５４、および電圧検出５４ａから構成されている。
補助電源５０は、画像形成装置４００本体に対して着脱可能である。バッテリースイッチ５１は、コントローラ電源管理３２からのＢＡＴ−ＯＮ信号でＯＮ／ＯＦＦするスイッチであり、ＯＮによって二次電池５２の電力がコントローラ２０、および操作部４４に供給される。
二次電池５２は、充電器５３からの電力によって充電する充電手段を備えており、例えば、電気二重層コンデンサ、ニッケルカドミウム電池、ニッケル水素電池、リチウムイオン電池など、充電可能であれば種々の公知の電池から用いることができる。
二次電池制御５４内には二次電池５２の放電停止電圧を検知する電圧検出５４ａがあり、二次電池制御５４は、電圧検出５４ａで検出された電圧値に応じて、二次電池の充電や放電を制御する。
【００２０】
二次電池制御５４は、ＣＨＡＲＧＥ信号（コントローラ電源管理３２から充電開始信号）を受信すると、二次電池５２の充電を開始するように制御する。
二次電池制御５４は、二次電池５２が満充電であることを示すＢＡＴ−ＦＵＬＬ信号、二次電池５２が放電停止電圧に達したことを示すＢＡＴ−ＬＯＷ信号、二次電池が装着されたことを示すＢＡＴ−ＤＥＴ信号などの各種信号をコントローラ電源管理３２に対して出力する。
【００２１】
図３は、第１の実施形態において、省エネルギモードから通常モードへ移行する際の処理の過程を示したフローチャートである。
まず、ＣＰＵ２１は、ＯＰＢにある図示しないスイッチがユーザによって押下されると、省エネルギモードから通常モードに移行し、省エネルギモードのタイマーをクリアする（ステップ１）。
そして、ＣＰＵ２１は、定着器１０の加熱、余熱など、プリントサイクルの前準備としてウォームアップを開始するように制御する（ステップ２）。
ＣＰＵ２１は、ウォームアップ完了に伴い、一定時間経過した場合に再び省エネルギモードに戻すため、タイマー２６のタイマーをスタートさせる（ステップ３）。
次に、ＣＰＵ２１は、ホストＣＰａ２００からネットワーク３００を介してプリント要求を受信しているか否かを判断する（ステップ１１）。
【００２２】
ここで、ＣＰＵ２１は、プリント要求を受信した場合に画像形成処理を行う（ステップ２１）。そして、一定時間経過した場合に再び省エネルギモードに戻すため、タイマー２６のタイマーをクリアし（ステップ２２）、ステップ３にリターンする。
ＣＰＵ２１は、ステップ１１でプリント要求を受信しない場合（ステップ１１；Ｎ）、ステップ３で作動させたタイマー２６が規定時間に達したか否かを判断する（ステップ１２）。
ＣＰＵ２１は、ステップ１２において、規定時間に達していない場合（ステップ１２；Ｎ）、タイマー２６にてカウントアップを継続させ（ステップ２０）、ステップ１１にリターンする。
【００２３】
ステップ１２において規定時間に達した場合（ステップ１２；Ｙ）、省エネルギモードに移行するため、ＲＡＭ２４内の省エネルギ状態を示すＳＡＶＩＮＧ  ＦＬＡＧ＝ＯＮの状態となり（ステップ１３）、コントローラ電源管理３２は、ＢＡＴ−ＯＮ信号をバッテリースイッチ５１に送信し、二次電池５２は、操作部４４、およびコントローラ２０に対して電力の供給を行う。
コントローラ電源管理３２は、ＰＴＲ３５へのＰＳ２−ＯＦＦ信号を出力する（ステップ１４）。
これにより、主電源供給／遮断回路４１とエンジン負荷４３との間が遮断され、主電源の供給を停止する。
【００２４】
コントローラ電源管理３２は、ネットワークＩ／Ｆ３１からのＩＮＴＮ信号、カバー検知３０からＩＮＴＫ信号、操作部Ｉ／Ｆ２９からＩＮＴＰ信号の受信を待機状態とする（ステップ１５からステップ１７）。
これらのうち、何れかの信号を受信した場合（ステップ１５からステップ１７のうち、何れか１のステップ；Ｙ）、通常モードに移行するため、コントローラ電源管理３２は、ＰＳ２−ＯＮ信号を出力し（ステップ１８）、主電源供給／遮断回路４１とエンジン負荷４３との間が通電され、主電源供給／遮断回路４１は主電源の供給を行う。
通常モードへの移行のため、ＲＡＭ２４内の省エネルギ状態を示すＳＡＶＩＮＧ  ＦＬＡＧ＝ＯＦＦの状態となり（ステップ１９）、コントローラ電源管理３２は、バッテリースイッチ５１へのＢＡＴ−ＯＮ信号の送信を停止し、二次電池５２からＰＴＲ３５、またはコントローラ２０に対して電力の供給が停止し、ステップ１にリターンする。
【００２５】
図４は、第１の実施形態において、コントローラ電源供給／遮断回路４２からの電源供給を停止して、二次電池５２からの電源供給を行う際の処理の過程を示したフローチャートである。
コントローラ電源管理３２は、二次電池制御５４からのＢＡＴ−ＤＥＴ信号（二次電池５２が画像形成装置４００に装着されたことを示す信号）を検出するか否かを判断する（ステップ４１）。
ＢＡＴ−ＤＥＴ信号がＯＦＦである（検出されない）場合（ステップ４１；Ｎ）、処理を終了する。
ＢＡＴ−ＤＥＴ信号がＯＮである（検出された）場合（ステップ４１；Ｙ）、コントローラ電源管理３２からのＣＨＡＲＧＥ信号（充電開始信号）を検出するか否かを判断する（ステップ４２）。
ＣＨＡＲＧＥ信号を受信した場合（ステップ４２；Ｙ）、充電器５３によって二次電池５２に充電を行い、処理を終了する。
【００２６】
一方、ＣＨＡＲＧＥ信号を受信していない場合（ステップ４２；Ｎ）、二次電池５２が放電停止電圧に達したことを示すＢＡＴ−ＬＯＷ信号を検出する（ステップ４３）。
ここで、ＢＡＴ−ＬＯＷ信号がＯＦＦである（検出されない）場合（ステップ４３；Ｎ）、ＲＡＭ２４内のＳＡＶＩＮＧ  ＦＬＡＧがＯＮであるか否か（省エネルギモードであるか否か）を検出する（ステップ４４）。
ステップ４４において検出の結果、ＯＦＦである（すなわち、動作モードである場合）場合（ステップ４４；Ｎ）、二次電池使用中であるＢＡＴ−ＯＮ信号がＯＮであるか否かを検出（ステップ４５）する。
ここで、ＢＡＴ−ＯＮ信号がＯＮである場合（ステップ４５；Ｙ）、コントローラ電源供給／遮断回路４２を立上げた後（ステップ４７）、ＢＡＴ−ＯＮをＯＦＦする（ステップ４８）。すなわち、二次電池５２から操作部４４、およびコントローラ２０に対して電源供給を停止する。
また、ステップ４５において、ＢＡＴ−ＯＮ信号がＯＦＦである場合（ステップ４５；Ｎ）、処理を終了する。
【００２７】
一方、ステップ４４における検出の結果、ＯＮである場合（ステップ４４；Ｙ）、二次電池使用中であるＢＡＴ−ＯＮ信号がＯＮであるか否かを検出する（ステップ４６）。
ここで、ＢＡＴ−ＯＮ信号がＯＦＦである場合（ステップ４６；Ｎ）、ＢＡＴ−ＯＮをＯＮし（ステップ４９）、ＰＳ１−ＯＮ信号をＯＦＦして（ステップ５０）、コントローラ電源供給／遮断回路４２からの電源供給を停止する。
また、ＢＡＴ−ＯＮ信号がＯＮである場合（ステップ４６；Ｙ）は処理を終了する。
【００２８】
このように、第１の実施形態では、省エネルギモード時と通常モード時における電源供給を切り換えることができ、省エネルギモード時に二次電池５２を用いることによって主電源（主電源供給／遮断回路４１、およびコントローラ電源供給／遮断回路４２）からの電力を停止するので、例えば、化石燃料による発電比率の低い夜間電力や、夏季に高まる電力需要の平準化など、二次電池５２を用いることによって電源供給を有効利用させることができる。
【００２９】
図５は、第１の実施形態において、二次電池５２が充電器５３によって充電される際の処理の過程を示したフローチャートである。
コントローラ電源管理３２は、二次電池制御５４からのＢＡＴ−ＤＥＴ信号（二次電池５２が画像形成装置４００に装着されたことを示す信号）を検出するか否かを判断する（ステップ５１）。
ＢＡＴ−ＤＥＴ信号がＯＦＦである（検出されない）場合（ステップ５１；Ｎ）、充電処理を終了する。
ＢＡＴ−ＤＥＴ信号がＯＮである（検出された）場合（ステップ５１；Ｙ）、コントローラ電源管理３２からのＣＨＡＲＧＥ信号（充電開始信号）を検出するか否かを判断する（ステップ５２）。
ＣＨＡＲＧＥ信号を受信した場合（ステップ５２；Ｙ）、充電器５３によって二次電池５２に充電を行う。
二次電池制御５４は、二次電池５２が満充電であるか否かを判断する（ステップ５８）。満充電でなければ、充電を継続し（ステップ５８；Ｎ）、充電器５３が満充電を検知した時点で（ステップ５８；Ｙ）、二次電池制御５４は、ＢＡＴ−ＦＵＬＬ信号を出力し、これを受信したコントローラ電源管理３２は、ＣＨＡＲＧＥ信号をＯＦＦにする（ステップ５９）。
【００３０】
一方、ステップ５２において、コントローラ電源管理３２からのＣＨＡＲＧＥ信号を受信していない場合（ステップ５２；Ｎ）、二次電池５２が放電停止電圧に達したことを示すＢＡＴ−ＬＯＷ信号を検出するか否かを判断する（ステップ５３）。
ここで、ＢＡＴ−ＬＯＷ信号がＯＦＦである（検出されない）場合、何もしないで終了する（ステップ５３；Ｎ）。
また、ステップ５３において、ＢＡＴ−ＬＯＷ信号がＯＮである（検出された）場合（ステップ５３；Ｙ）、コントローラ電源管理３２は、二次電池５２にて電力を供給中である旨を示すＢＡＴ−ＯＮ信号を検出するか否かを判断する（ステップ５４）。
ここで、二次電池５２にてＢＡＴ−ＯＮ信号がＯＮであるならば（ステップ５４；Ｙ）、コントローラ電源供給／遮断回路４２からの電力（主電力）の供給を行うため、ＰＳ１−ＯＮ信号をＯＮしてコントローラ電源供給／遮断回路４２を立上げた後（ステップ５５）、ＢＡＴ−ＯＮをＯＦＦし（ステップ５６）、二次電池５２の使用を停止後にＣＨＡＲＧＥ信号をＯＮして充電を開始する（ステップ５７）。
二次電池が使用中でないＢＡＴ−ＯＮ信号がＯＦＦならば、コントローラ電源管理３２は、ＣＨＡＲＧＥ信号をＯＮして充電を開始する。
【００３１】
このように、第１の実施形態では、二次電池５２の使用中に放電停止電圧が低下した場合に、直ちに二次電池５２の電源供給を停止して主電力からの電源供給を行い、適切なタイミングで二次電池５２に充電するので、二次電池５２の使いすぎによる劣化を防止することができる。
【００３２】
図６は、第２の実施形態における構成を示したブロック図である。
図６に示すように、画像形成装置６８０は、ＬＰ／ＭＦＰ（レーザプリンタ複合機）６６０、および補助電源モジュール６７０から構成されている。
ＬＰ／ＭＦＰ６６０は、画像形成可能な運転状態（通常モード）と、この通常モードよりも消費電力が抑えられた運転状態（省エネルギモード）とが、切換可能となっている。
そして、ＬＰ／ＭＦＰ（レーザプリンタ複合機）６６０は、省エネルギモードにおいて、省エネルギ信号を二次電池制御部６００に出力し、運転状態において、非省エネルギ信号を二次電池制御部６００に出力する。
補助電源モジュール６７０は、二次電池制御部６００、電圧監視部−１６０５、電圧監視部−２６１０、ＡＣ−ＤＣ電源６１５、充電器６２０、二次電池６２５、ＤＣ−ＤＣ電源−１６３０、リレー駆動部６３５、電源選択部６４０、ＤＣ−ＤＣ電源−２６４５、ＡＣアウトレット６５０、ＡＣリレー６５５から構成されている。
【００３３】
二次電池６２５は、充電器６２０からの電力によって蓄電する蓄電手段を備えており、例えば、電気二重層コンデンサ、ニッケルカドミウム電池、ニッケル水素電池、リチウムイオン電池など、充電可能であれば種々の公知の電池から用いることができる。
電圧監視部−１６０５は、二次電池６２５が電源供給を行っている場合に二次電池６２５の出力電圧を監視し、放電停止電圧に達したかを判断する。判断の結果、放電停止電圧に達した場合には、放電検出−１信号を出力する。また、判断の結果、放電停止電圧に達していない場合には、図示していないが非放電検出−１信号を出力する。
電圧監視部−２６１０は、二次電池６２５が電源供給を行っていない場合に二次電池６２５の出力電圧を監視し、放電停止電圧に達したかを判断する。判断の結果、放電停止電圧に達した場合には、放電検出−２信号を出力する。また、判断の結果、放電停止電圧に達していない場合には、図示していないが非放電検出−２信号を出力する。
充電器６２０は、二次電池制御部６００からの充電指示信号によって二次電池６２５を充電する機能を備えており、満充電に達した場合に、満充電検出信号を出力する。
二次電池制御部６００は、充電器６２０への充電指示信号、充電器６２０からの満充電検出信号、電圧監視部−１６０５からの放電検出−１信号、およびＬＰ／ＭＦＰ６６０からの省エネルギ信号に基づいて、補助電源モジュール６７０の制御を行う。
リレー駆動部６３５は、二次電池制御部６００からの制御に応じてリレーをＯＮ／ＯＦＦに切り換える駆動部である。ＡＣリレー６５５は、リレー駆動部６３５によってＯＮ／ＯＦＦの切り換えを行うリレーであり、ＯＮ状態で主電源から電力を供給する。
ＡＣアウトレット６５０は、ＡＣリレー６５５からの出力をＬＰ／ＭＦＰ６６０に向けて出力する。ＡＣ−ＤＣ電源６１５は、ＡＣリレー６５５のＡＣ出力からＤＣ電源を生成する。
電源選択部６４０は、ＡＣ−ＤＣ電源６１５からの電源出力と、二次電池６２５からの電源出力とのいずれか一方、または両方を選択する。ＤＣ−ＤＣ電源−１６３０、およびＤＣ−ＤＣ電源−２６４５は、電源選択部６４０で選択された電源出力に基づいて、ＤＣ出力を生成する。
【００３４】
なお、電圧監視部−１６０５で判断する放電停止電圧と、電圧監視部−２６１０とで判断する放電停止電圧とはそれぞれ異なり、二次電池６２５への充電状態に応じて使い分けているので、放電停止電圧の検出精度をより高めることができる。
【００３５】
図７は、第２の実施形態における二次電池制御部６００の状態の遷移を示した図である。
図７に示すように、二次電池制御部６００は、ＬＰ／ＭＦＰ６６０から非省エネルギ信号を受信し、画像形成可能な状態である通常動作モードとなる。通常動作モードでは、「電源選択部６４０は、ＡＣ−ＤＣ電源６１５からの電源出力を選択する」、「二次電池制御部６００は、充電器６２０への充電指示信号を出力しない」、および「ＡＣリレー６５５は、通電（ＯＮ）状態にする」ことによって、二次電池６２５を使わずにＡＣ−ＤＣ電源６１５のみからの電源出力を用いて画像形成を行うように構成されている（ステップ７００）。
ここで、電圧監視部−２６１０が二次電池６２５の電圧低下を検出し、放電検出−２信号を出力した場合（ステップ７３０）、二次電池制御部６００は、充電器６２０に充電指示信号を出力し、二次電池６２５への充電を開始させ、通常動作モードから充電モードに遷移する（ステップ３００）。充電モードで充電後、二次電池制御部６００は、充電器６２０からの満充電信号を受信し、かつ、ＬＰ／ＭＦＰ６６０から非省エネルギ信号を受信した場合、ステップ７００の通常動作モードに遷移する（ステップ３７０）。
【００３６】
ステップ３００の充電モードにおいて、二次電池制御部６００は、「電源選択部６４０は、ＡＣ−ＤＣ電源６１５からの電源出力を選択する」、「二次電池制御部６００は、充電器６２０への充電指示信号を出力する」、および「ＡＣリレー６５５は、通電（ＯＮ）状態にする」こととしている。これにより、充電器６２０は、二次電池６２５に電力を充電するように構成されている。
ステップ３００の充電モードで充電後、二次電池制御部６００は、ＬＰ／ＭＦＰ６６０から省エネルギ信号を受信し、充電器６２０から満充電信号を受信した場合（ステップ３５０）、充電モードから移行モードに遷移する（ステップ５００）。
ここで、移行モードとは、通常動作モードよりも消費電力が抑えられた運転状態となっているが、ＡＣ−ＤＣ電源６１５（主電源）と二次電池６２５との両方による電力の供給を行うモードである。
このステップ５００の移行モードにおいて、二次電池制御部６００は、「電源選択部６４０は、ＡＣ−ＤＣ電源６１５からの電源出力、および二次電池６２５からの電源出力を選択する」、「二次電池制御部６００は、充電器６２０への充電指示信号を出力しない」、および「ＡＣリレー６５５は、通電（ＯＮ）状態にする」ことによって、ＡＣ−ＤＣ電源６１５からの電源出力に二次電池６２５の電源出力を用いるように構成されている。
そして、電圧監視部−１６０５により、二次電池６２５の電圧低下が検出され、二次電池制御部６００は放電検出−１信号を受信すると（ステップ５３０）、ステップ３００の充電モードに遷移する。
【００３７】
ステップ５００の移行モードにおいて、二次電池制御部６００は、ＬＰ／ＭＦＰ６６０から非省エネルギ信号を受信し、かつ、電圧監視部−１６０５から非放電検出−１信号を受信すると（ステップ５７０）、ステップ７００の通常モードに遷移する。
また、通常モード時において、二次電池制御部６００は、ＬＰ／ＭＦＰ６６０から省エネルギ信号を受信し、かつ、電圧監視部−２６１０から非放電検出−２信号を受信すると（ステップ７５０）、ステップ５００の移行モードに遷移する。
また、移行モードにおいて、二次電池制御部６００は、ＬＰ／ＭＦＰ６６０から省エネルギ信号を受信し、かつ、電圧監視部−１６０５から非放電検出−１信号を受信した場合（ステップ５４０）、ステップ４００の省エネルギモードに遷移する。
【００３８】
ステップ４００の省エネルギモード時において、二次電池制御部６００は、「電源選択部６４０は、二次電池６２５からの電源出力を選択する」、「二次電池制御部６００は、充電器６２０への充電指示信号を出力しない」、および「ＡＣリレー６５５を通電カット（ＯＦＦ）状態にする」ことによって、二次電池６２５の電源出力のみで電源供給するように構成されている。
省エネルギモード時において、二次電池制御部６００は、ＬＰ／ＭＦＰ６６０から非省エネルギ信号を受信し、かつ、電圧監視部−１６０５から放電検出−１信号を受信すると（ステップ４５０）、ステップ５００の移行モードに遷移する。
【００３９】
このように、第２の実施形態では、電源選択部６４０が、ＬＰ／ＭＦＰ６６０のモード、および二次電池６２５の蓄電状態に応じて、ＡＣ−ＤＣ電源６１５からの電源出力（主電源）と、二次電池６２５からの電源出力とのいずれか一方、または両方を選択する。
そして、特に移行モード、および省エネルギモードの２種類のモードにより、電源選択部６４０は、二次電池６２５による電力の供給、またはＡＣ−ＤＣ電源６１５（主電源）と二次電池６２５との両方による電力の供給を選択することができる。
これにより、二次電池６２５を用いることによって主電源からの電力を停止させることができるので、電源供給を有効利用させることができる。
【００４０】
図８は、第３の実施形態における提示部８４０の構成を示したブロック図である。
第３の実施形態では、第２の実施形態と同様に、画像形成装置６８０は、ＬＰ／ＭＦＰ６６０、および補助電源モジュール６７０から構成されているが、補助電源モジュール６７０は、さらに提示部８４０を備えている。
この提示部８４０は、点灯部８００、回転キー８１０、表示部８２０、および操作部８３０から構成されている。
提示部８４０は、二次電池制御部６００と接続しており、二次電池６２５によって電力が供給されている場合、点灯部８００を点灯させる。
これにより、提示部８４０は、点灯部８００の点灯により、ユーザに対して二次電池６２５の使用状態を提示することができる。
また、第３の実施形態では、図示しない容量検知部を設けており、二次電池６２５が所定の容量であるか否か（満容量、中容量、低容量、または低容量を下回る容量のいずれであるか）否かを検知判断することができる。
【００４１】
図９は、第３の実施形態における処理の過程を示したフローチャートである。
まず、二次電池制御部６００は、ＬＰ／ＭＦＰ６６０から省エネルギ信号を受信し、省エネルギモードへと遷移する（ステップ９００）、二次電池６２５からの電源供給がある場合（ステップ９０５）、提示部８４０の点灯部８００を点灯させる（ステップ９１０）。
次に、二次電池制御部６００は、二次電池６２５の容量検知を行い（ステップ９１５）、二次電池６２５が満容量であるか否かを判断する（ステップ９２０）。
ここで、満容量である場合（ステップ９２０；Ｙ）、点灯部８００を緑色に点灯させる（ステップ９３５）。
また、満容量でない場合（ステップ９２０；Ｎ）、中容量であるか否かを判断する（ステップ９２５）。そして、中容量である場合（ステップ９２５；Ｙ）、二次電池制御部６００は、点灯部８００を黄色に点灯させる（ステップ９４０）。
また、中容量でない場合（ステップ９２５；Ｎ）、低容量であるか否かを判断する（ステップ９３０）。そして、低容量である場合（ステップ９３０；Ｙ）、二次電池制御部６００は、点灯部８００を橙色に点灯させる（ステップ９４５）。
また、低容量でない（低容量を下回る容量である）場合（ステップ９３０；Ｎ）、表示部８２０に例えば「二次電池の充電、または交換が必要です」などと表示し、二次電池制御部６００は、点灯部８００を赤色に点灯させる（ステップ９５０）。
【００４２】
このように第３の実施形態では、二次電池６２５の使用を点灯部８００によりユーザに提示するので、充電時期の通知や二次電池の交換（または破損時など）の時期を知らせる事ができる。
また、第３の実施形態では、二次電池６２５の寿命を予測する手段を設けて、表示部８２０に、例えば「あと××回充電できます。あと××時間使用できます。××月××日まで使用できます。」などと表示することによって、ユーザに二次電池６２５の予測寿命を提示することもできる。
【００４３】
図１０は、第３の実施形態の変形例における処理を示したフローチャートである。
まず、二次電池制御部６００は、ＬＰ／ＭＦＰ６６０から省エネルギ信号を受信し（ステップ１０００）、二次電池６２５からの電源供給がある場合（ステップ１００５）、提示部８４０の点灯部８００を点灯させる（ステップ１０１０）。
次に、二次電池制御部６００は、二次電池６２５の容量検知を行う（ステップ１０１３）。
そして、二次電池６２５の容量に応じて、表示部８２０に表示される内容を輝度を下げる（ステップ１０１５）。
また、二次電池６２５の容量に応じて、操作部８３０の輝度を下げる（ステップ１０２０）。
例えば、ステップ１０１５において、満容量時は最大の輝度で、中容量時は中輝度で、低容量時は最小の輝度で表示させることにより、ユーザに容量検知状況を知らせることができる。
なお、ステップ１０２０において、操作部８３０のスタートボタンは、本来、プリント動作時はプリント待ち、プリント時、プリント不可といった動作に対応した表示の仕方をするが、このスタートボタンに表示された輝度を下げることによって、ユーザに二次電池６２５の状態を知らせることができる。
【００４４】
このように、第３の実施形態の変形例では、従来ある表示部８２０や、操作部８３０の輝度を低下させ、ユーザに二次電池６２５の残量を提示することができる。
また、第３の実施形態の変形例では、第３の実施形態と比べ、点灯部８００を新たに備える必要がないので、部品点数の増加を抑え、コスト増を抑えることができる。
【００４５】
図１１は、第４の実施形態における構成を示したブロック図である。
第４の実施形態において、画像形成装置１１５０は、エンジンＰＳＵ（Ｅｎｊｉｎｅ  Ｐｏｗｅｒ  Ｓｕｐｐｌｙ  Ｕｎｉｔ）１１００、エンジン（Ｅｎｊｉｎｅ）１１０５、コントローラ（Ｃｏｎｔｒｏｌｌｅｒ）１１１０、コントローラＰＳＵ（Ｃｏｎｔｒｏｌｌｅｒ  Ｐｏｗｅｒ  Ｓｕｐｐｌｙ  Ｕｎｉｔ）１１１５、セレクタ（Ｓｅｌｅｃｔｏｒ）１１３５、およびバッテリーユニット（Ｂａｔｔｅｒｙ  Ｕｎｉｔ）１１４０から構成されている。
【００４６】
エンジンＰＳＵ１１００、およびコントローラＰＳＵ１１１５には、商用電源からのＡＣ電源（主電源）が供給されている。エンジンＰＳＵ１１００は、供給されるＡＣ電源をさらにエンジン１１０５に供給する。コントローラＰＳＵ１１１５は、セレクタ１１３５を介して、コントローラ１１１０に主電源を供給している。エンジン１１０５は、画像データの入出力などを制御するエンジンである。コントローラ１１１０は、省エネプロセッサ（Ｐｒｏｃｅｓｓｏｒ）１１４５、およびＲＡＭ１１５０を備えており、省エネプロセッサ１１４５は、画像形成装置の待機時などに電源供給を低減させる省エネルギモードとすることができる。また、ＲＡＭ１１５０は、画像形成する画像データを一時的に格納する。
省エネプロセッサ１１４５は、画像形成状態の待機が一定時間続いた場合などに省エネルギモードとし、コントローラ１１１０が省エネルギ状態を示すＳＭＢＣＬＫ信号、およびＳＭＢＤＡＴ信号を送信する。
【００４７】
また、バッテリーユニット１１４０は、充電／放電検知１１２０、二次電池１１２５、および制御マイコン１１３０から構成されている。
本実施形態では、二次電池１１２５は複数あり、その複数の二次電池１１２５の各々に充電／放電検知１１２０を備えている。制御マイコン１１３０は、コントローラ１１１０からのＳＭＢＣＬＫ信号、およびＳＭＢＤＡＴに応じて、二次電池１１２５の充電や放電を制御する。そして、二次電池１１２５は、省エネルギモードに伴い、二次電池からの電力をセレクタ１１３５を介してコントローラ１１１０に供給する。
【００４８】
図１２は、第４の実施形態における状態の遷移を示した図である。
まず、ユーザからの図示しない起動ボタンの押下を受け付け、画像形成装置が起動すると、「スタンバイモード」（ステップ１２１５）へと移行する。ここで、二次電池１１２５の有無や、二次電池１１２５の残量などを検知し、二次電池１１２５がない場合や有っても残量がない場合には、「従来省エネルギモード」（ステップ１２０５）へと移行する。この「従来省エネルギモード」では、主電源（ＡＣ）から電源が供給されている。
また、ステップ１２１５において、二次電池１１２５が複数有り、複数の二次電池１１２５で所定の残量以上ある場合には、「ＡＣ：０Ｗ省エネルギモード」（ステップ１２１０）へと移行する。この「ＡＣ：０Ｗ省エネルギモード」では、主電源（ＡＣ）からの電力が二次電池１１２５に充電され、二次電池１１２５のみから電力が供給される。
ステップ１２１０において、使える二次電池１１２５が１つとなり、使用残量が所定の量（例えば５％）を下回った場合には、ステップ１２０５に移行する。
また、ステップ１２０５、ステップ１２１０、またはステップ１２１５において、例えば、ユーザからの画像形成装置の指示などを受け付け、動作開始要求を受信すると、「通常モード」（ステップ１２２０）へと移行する。
また、ステップ１２０５、ステップ１２１０、またはステップ１２１５において、ユーザからの図示しない起動ボタンの押下を受け付け、主電源がＯＦＦ（ＡＣ  ＯＦＦ）となった場合、「ＳＨＵＴ  ＤＯＷＮ」（ステップ１２００）へと移行する。
【００４９】
図１３は、第４の実施形態の「ＡＣ：０Ｗ省エネルギモード」における、二次電池１１２５の充電、および使用状態について示した図である。
図１２に示すように、第４の実施形態では、ステップ１２１０（「ＡＣ：０Ｗ省エネルギモード」）において二次電池１１２５の充電を行う。
このとき、充電の手順は、まず、電池１（例えば二次電池１１２５ａ）を使用し、電池２（例えば二次電池１１２５ｂ）を充電する（ステップ１３００）。
そして、電池２の充電完了に伴い（ステップ１３０５）、電池１を充電し、電池２を使用中とする（ステップ１３１０）。
電池１の充電完了に伴い（ステップ１３１５）、再び電池１を使用し、電池２を充電状態とする（ステップ１３００）。
【００５０】
このように、第４の実施形態では、ステップ１２１０において、検知した容量（残量）が所定の容量を下回った場合に、コントローラＰＳＵ１１１５（主電源）からの電力を行いステップ１２０５に遷移する。
また、ステップ１２１０において、二次電池１１２５の充電が満充電となった場合に、コントローラＰＳＵ１１１５（主電源）からの電力を停止してステップ１２０５に遷移する。
これにより、二次電池１１２５の容量に応じて、コントローラＰＳＵ１１１５からの電源を使い分けるので、電源供給をより有効利用させることができる。
また、二次電池１１２５を複数箇所に設けることによって、例えば、ステップ１２１０において、一方の二次電池１１２５ａを放電しながら、他方の二次電池１１２５ｂを充電することができ、これにより、「ＡＣ：０Ｗ省エネルギモード」（ステップ１２１０）を長時間持続させることができるので、電源の利用効率を向上させることができる。
【００５１】
なお、本発明は、当然ながら第１から第４の実施形態に限定されず、それぞれを組み合わせることが可能である。
例えば、第４の実施形態に、第３の実施形態における提示部８４０を用いることによって、「ＡＣ：０Ｗ省エネルギモードです。電池１を使用中です。電池２を充電中です。」、「電池１が充電中のため、ＡＣスイッチをＯＦＦにしないでください」、「電池１は、あと××時間使用できます。あと××回充電でき、××月××日まで使用できます。」などと提示し、二次電池の状態を提示しても良い。
【図面の簡単な説明】
【００５２】
【図１】第１の実施形態における構成を示したブロック図である。
【図２】第１の実施形態における画像形成装置の構成をさらに詳細に示したブロック図である。
【図３】第１の実施形態において、省エネルギモードから通常モードへ移行する際の処理の過程を示したフローチャートである。
【図４】第１の実施形態において、コントローラ電源供給／遮断回路からの電源供給を停止して、二次電池からの電源供給を行う際の処理の過程を示したフローチャートである。
【図５】第１の実施形態において、二次電池が充電器によって充電される際の処理の過程を示したフローチャートである。
【図６】第２の実施形態における構成を示したブロック図である。
【図７】第２の実施形態における二次電池制御部の状態の遷移を示した図である。
【図８】第３の実施形態における提示部の構成を示したブロック図である。
【図９】第３の実施形態における処理の過程を示したフローチャートである。
【図１０】第３の実施形態の変形例における処理を示したフローチャートである。
【図１１】第４の実施形態における構成を示したブロック図である。
【図１２】第４の実施形態における状態の遷移を示した図である。
【図１３】第４の実施形態の「ＡＣ：０Ｗ省エネルギモード」における、二次電池の充電、および使用状態について示した図である。
【符号の説明】
【００５３】
１００  プリンタシステム
２００  ホストＰＣ
３００  ネットワーク
４００  画像形成装置
【図１】
2009222824.tif 000003
【図２】
2009222824.tif 000004
【図３】
2009222824.tif 000005
【図４】
2009222824.tif 000006
【図５】
2009222824.tif 000007
【図６】
2009222824.tif 000008
【図７】
2009222824.tif 000009
【図８】
2009222824.tif 000010
【図９】
2009222824.tif 000011
【図１０】
2009222824.tif 000012
【図１１】
2009222824.tif 000013
【図１２】
2009222824.tif 000014
【図１３】
2009222824.tif 000015